【手続補正書】
【提出日】平成23年11月2日(2011.11.2)
【手続補正１】
【補正対象書類名】特許請求の範囲
【補正対象項目名】全文
【補正方法】変更
【補正の内容】
【特許請求の範囲】
【請求項１】
遊技球が打球発射装置により打ち込まれて流下する遊技領域が形成されるとともに該遊技領域を囲むように非遊技領域である飾り枠が取り付けられる遊技盤と、該遊技盤をその前面側に着脱自在に取り付け可能な本体枠と、該本体枠の一側に開閉自在に軸支されて前記遊技盤の遊技領域を視認可能に透明板で被覆された遊技窓が形成される扉枠と、前記遊技盤の裏面に取り付けられ、かつ、遊技の進行を制御するとともにＲＯＭ及びＲＡＭを内蔵するマイクロプロセッサが実装される主制御基板と、を備えるパチンコ遊技機であって、
前記飾り枠は、当該飾り枠の後面側であって予め定めた位置に、前記主制御基板のマイクロプロセッサにより駆動制御されて各種機能表示を行う表示素子が一定個数集約されて実装されるとともに、パチンコ遊技機の仕様が異なる機種間において、それら一定個数の表示素子が各種機能表示にそれぞれ割り当てられることにより共通に使用される機能表示基板が配置される一方、当該飾り枠の前面側であって前記機能表示基板と対応する位置に、機能表示部が印刷された機能表示部材が配置され、
前記扉枠を前記本体枠に閉じた際に、前記機能表示部材を前記透明板で被覆された遊技窓を介して視認でき、
前記機能表示基板にそれぞれ一定個数集約されて実装される表示素子は、少なくとも、
前記遊技領域に設けられた始動入賞口に遊技球が入球して大当り遊技状態の発生の有無を所定の特別図柄として変動表示する特別図柄表示素子と、
前記遊技領域に設けられた始動入賞口に遊技球が入球して前記特別図柄表示素子で特別図柄が変動表示されないときには遊技球の球数を保留数として表示する特別図柄記憶表示素子と、
前記遊技領域に設けられたゲートに遊技球が通過して開閉翼の開閉の有無を所定の普通図柄として変動表示する普通図柄表示素子と、
前記遊技領域に設けられたゲートに遊技球が入球して前記普通図柄表示素子で普通図柄が変動表示されないときには遊技球の球数を保留数として表示する普通図柄記憶表示素子と、
遊技状態として確率変動が生じているか否かを表示する遊技状態表示素子と、
前記遊技領域に設けられた大入賞口に遊技球が入球することができない状態から入球しやすい状態となる最大回数を表示するラウンド表示素子と、
に割り当てられ、該割り当てられたそれぞれの表示素子に対応する機能表示が前記マイクロプロセッサにより制御され、
前記機能表示部材は、その表面に、少なくとも、前記ラウンド表示素子から構成されたラウンド機能表示部を識別するための指標が視認可能に印刷されることを特徴とするパチンコ遊技機。
【請求項２】
請求項１に記載のパチンコ遊技機であって、
前記マイクロプロセッサに内蔵されたＲＯＭは、少なくとも、
前記普通図柄記憶表示素子に表示させる態様が規定された普通図柄記憶表示素子出力データを複数記憶する普通図柄記憶表示素子出力データテーブルと、
前記ラウンド表示素子に表示させる態様が規定されたラウンド表示素子出力データを複数記憶するラウンド表示素子出力データテーブルと、
が設けられ、
前記マイクロプロセッサに内蔵されたＲＡＭは、少なくとも、
前記機能表示基板にそれぞれ一定個数集約されて実装される表示素子のうち、前記普通図柄記憶表示素子に割り当てられた表示素子と前記ラウンド表示素子に割り当てられた表示素子とに駆動信号を出力する出力データを記憶する出力データ用レジスタ
が設けられ、
前記出力データ用レジスタの大きさは、パチンコ遊技機の仕様が異なる機種間において固定値であり、かつ、前記機能表示基板にそれぞれ一定個数集約されて実装される表示素子のうち、前記普通図柄記憶表示素子に割り当てられた表示素子に対応するビット数と前記ラウンド表示素子に割り当てられた表示素子に対応するビット数との和であり、
前記マイクロプロセッサは、少なくとも、
前記遊技領域に設けられたゲートに遊技球が入球して前記普通図柄表示素子で普通図柄が変動表示されない遊技球の球数を表示するための態様が規定された前記普通図柄記憶表示素子出力データを前記普通図柄記憶表示素子出力データテーブルから抽出する普通図柄記憶表示素子出力データ抽出制御手段と、
前記遊技領域に設けられた大入賞口に遊技球が入球することができない状態から入球しやすい状態となる最大回数を表示するための態様が規定された前記ラウンド表示素子出力データを前記ラウンド表示素子出力データテーブルから抽出するラウンド表示素子出力データ抽出制御手段と、
前記普通図柄記憶表示素子出力データ抽出制御手段で抽出した前記普通図柄記憶表示素子出力データと前記ラウンド表示素子出力データ抽出制御手段で抽出した前記ラウンド表示素子出力データとの論理和を算出する論理和算出制御手段と、
該論理和算出制御手段で算出した前記論理和を前記出力データとして前記出力データ用レジスタに記憶する出力データ記憶制御手段と、
前記出力データ用レジスタに記憶された前記出力データに基づいて当該出力データ用レジスタに値１が記憶されたビットに対応する、前記普通図柄記憶表示素子に割り当てられた表示素子と前記ラウンド表示素子に割り当てられた表示素子とに駆動信号を出力する駆動信号出力制御手段と、
を備えることを特徴とするパチンコ遊技機。
【手続補正２】
【補正対象書類名】明細書
【補正対象項目名】０００６
【補正方法】変更
【補正の内容】
【０００６】
（解決手段１）
遊技球が打球発射装置により打ち込まれて流下する遊技領域が形成されるとともに該遊技領域を囲むように非遊技領域である飾り枠が取り付けられる遊技盤と、該遊技盤をその前面側に着脱自在に取り付け可能な本体枠と、該本体枠の一側に開閉自在に軸支されて前記遊技盤の遊技領域を視認可能に透明板で被覆された遊技窓が形成される扉枠と、前記遊技盤の裏面に取り付けられ、かつ、遊技の進行を制御するとともにＲＯＭ及びＲＡＭを内蔵するマイクロプロセッサが実装される主制御基板と、を備えるパチンコ遊技機であって、前記飾り枠は、当該飾り枠の後面側であって予め定めた位置に、前記主制御基板のマイクロプロセッサにより駆動制御されて各種機能表示を行う表示素子が一定個数集約されて実装されるとともに、パチンコ遊技機の仕様が異なる機種間において、それら一定個数の表示素子が各種機能表示にそれぞれ割り当てられることにより共通に使用される機能表示基板が配置される一方、当該飾り枠の前面側であって前記機能表示基板と対応する位置に、機能表示部が印刷された機能表示部材が配置され、前記扉枠を前記本体枠に閉じた際に、前記機能表示部材を前記透明板で被覆された遊技窓を介して視認でき、前記機能表示基板にそれぞれ一定個数集約されて実装される表示素子は、少なくとも、前記遊技領域に設けられた始動入賞口に遊技球が入球して大当り遊技状態の発生の有無を所定の特別図柄として変動表示する特別図柄表示素子と、前記遊技領域に設けられた始動入賞口に遊技球が入球して前記特別図柄表示素子で特別図柄が変動表示されないときには遊技球の球数を保留数として表示する特別図柄記憶表示素子と、前記遊技領域に設けられたゲートに遊技球が通過して開閉翼の開閉の有無を所定の普通図柄として変動表示する普通図柄表示素子と、前記遊技領域に設けられたゲートに遊技球が入球して前記普通図柄表示素子で普通図柄が変動表示されないときには遊技球の球数を保留数として表示する普通図柄記憶表示素子と、遊技状態として確率変動が生じているか否かを表示する遊技状態表示素子と、前記遊技領域に設けられた大入賞口に遊技球が入球することができない状態から入球しやすい状態となる最大回数を表示するラウンド表示素子と、に割り当てられ、該割り当てられたそれぞれの表示素子に対応する機能表示が前記マイクロプロセッサにより制御され、前記機能表示部材は、その表面に、少なくとも、前記ラウンド表示素子から構成されたラウンド機能表示部を識別するための指標が視認可能に印刷されることを特徴とするパチンコ遊技機。
【手続補正３】
【補正対象書類名】明細書
【補正対象項目名】０００８
【補正方法】変更
【補正の内容】
【０００８】
飾り枠は、飾り枠の後面側であって予め定めた位置に、主制御基板のマイクロプロセッサにより駆動制御されて各種機能表示を行う表示素子が一定個数集約されて実装されるとともに、パチンコ遊技機の仕様が異なる機種間において、それら一定個数の表示素子が各種機能表示にそれぞれ割り当てられることにより共通に使用される機能表示基板が配置される一方、飾り枠の前面側であって機能表示基板と対応する位置に、機能表示部が印刷された機能表示部材が配置されており、扉枠を本体枠に閉じた際に、機能表示部材を透明板で被覆された遊技窓を介して視認できるようになっている。これにより、パチンコ遊技機の仕様が異なっても、機能表示部材の位置が変わることがないため、遊技者を戸惑わせることがない。また、非遊技領域である飾り枠に機能表示部材が配置されるため、遊技者は遊技の進行を把握したいときに機能表示基板による遊技の進行に関する各種情報を見ることができ、機能表示基板による遊技の進行に関する各種情報が目障りになりにくい。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
機能表示基板にそれぞれ一定個数集約されて実装される表示素子は、少なくとも、特別図柄表示素子、特別図柄記憶表示素子、普通図柄表示素子、普通図柄記憶表示素子、遊技状態表示素子、ラウンド表示素子、に割り当てられており、この割り当てられたそれぞれの表示素子に対応する機能表示がマイクロプロセッサにより制御されている。特別図柄表示素子は遊技領域に設けられた始動入賞口に遊技球が入球して大当り遊技状態の発生の有無を所定の特別図柄として変動表示し、特別図柄記憶表示素子は遊技領域に設けられた始動入賞口に遊技球が入球して特別図柄表示素子で特別図柄が変動表示されないときに遊技球の球数を保留数として表示する。普通図柄表示素子は遊技領域に設けられたゲートに遊技球が通過して開閉翼の開閉の有無を所定の普通図柄として変動表示し、普通図柄記憶表示素子は遊技領域に設けられたゲートに遊技球が入球して普通図柄表示素子で普通図柄が変動表示されないときに遊技球の球数を保留数として表示する。遊技状態表示素子は遊技状態として確率変動が生じているか否かを表示し、ラウンド表示素子は遊技領域に設けられた大入賞口に遊技球が入球することができない状態から入球しやすい状態となる最大回数を表示する。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
機能表示部材は、その表面に、少なくとも、ラウンド表示素子から構成されたラウンド機能表示部を識別するための指標が視認可能に印刷されている。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
このように、機能表示基板にそれぞれ一定個数集約されて実装される表示素子は、特別図柄表示素子、特別図柄記憶表示素子、普通図柄表示素子、普通図柄記憶表示素子、遊技状態表示素子、及びラウンド表示素子等に割り当てられているため、機能表示基板がパチンコ遊技機の仕様が異なる機種間において共通のハードウェアとなる。また割り当てられたそれぞれの表示素子に対応する機能表示がマイクロプロセッサにより制御されているため、パチンコ遊技機の仕様と対応する各種データがマイクロプロセッサに内蔵されたＲＯＭに記憶されることによってパチンコ遊技機の仕様に関わる部分をプログラムと切り離すことができるため、パチンコ遊技機の仕様が異なる機種間において共通のプログラムとなる。したがって、ハードウェア及びプログラムの共通化により開発期間の短縮化を図ることができる。
【手続補正１２】
【補正対象書類名】明細書
【補正対象項目名】００１７
【補正方法】変更
【補正の内容】
【００１７】
本実施形態では、例えば、図７の打球発射装置３００が打球発射装置に相当し、図１１５の遊技領域２５５が遊技領域に相当し、図１１６の機能表示飾り枠２５１ｃが飾り枠に相当し、図１１５の遊技盤４が遊技盤に相当し、図１の本体枠３が本体枠に相当し、図１のガラス板６０が透明板に相当し、図１の遊技窓４２が遊技窓４２に相当し、図１の扉枠５が扉枠に相当し、図１２２の主制御ＭＰＵ１７００ａに内蔵されたＲＯＭがＲＯＭに相当し、図１２２の主制御ＭＰＵ１７００ａに内蔵されたＲＡＭがＲＡＭに相当し、図１２２の主制御ＭＰＵ１７００ａがマイクロプロセッサに相当し、図１２２に主制御基板１７００が主制御基板に相当し、図１のパチンコ遊技機１がパチンコ遊技機に相当し、図１１７の機能表示シール１５９５Ａが機能表示部材に相当し、図１１７のセグメント表示器ＳＥＧ１，ＳＥＧ２が表示素子に相当し、図１１７のＬＥＤ１〜ＬＥＤ１２が表示素子に相当し、図１１７の機能表示基板１２２５ａが機能表示基板に相当し、図１１５の上始動入賞口１３３０及び下始動入賞口１３４０が始動入賞口に相当し、図１１７の上特別図柄表示器１４８０及び下特別図柄表示器１４９０が特別図柄表示素子に相当し、図１１７の上特別図柄記憶ランプ１５００ａ，１５００ｂ及び下特別図柄記憶ランプ１５１０ａ，１５１０ｂが特別図柄記憶表示素子に相当し、図１１５のゲート１２９０がゲートに相当し、図１１５の開閉翼１３８０が開閉翼に相当し、図１１７の普通図柄表示器１５２０が普通図柄表示素子に相当し、図１１７の普通図柄記憶ランプ１５３０ａ〜１５３０ｄが普通図柄記憶表示素子に相当し、図１１７の遊技状態表示ランプ１５４０が遊技状態表示素子に相当し、図１１５の大入賞口１４００が大入賞口に相当し、図１１７の２ラウンド表示ランプ１５５０及び１５ラウンド表示ランプ１５６０がラウンド表示素子に相当し、図１２０の実線ＳＬ５で囲まれた状態で区画されて機能表示シール１５９５Ａに印刷された２ラウンド表示ランプ１５５０の値２及び実線ＳＬ６で囲まれた状態で区画されて機能表示シール１５９５Ａに印刷された１５ラウンド表示ランプ１５６０の値１５が「ラウンド機能表示部を識別するための指標」に相当する。
（解決手段２）
解決手段１に記載のパチンコ遊技機であって、前記マイクロプロセッサに内蔵されたＲＯＭは、少なくとも、前記普通図柄記憶表示素子に表示させる態様が規定された普通図柄記憶表示素子出力データを複数記憶する普通図柄記憶表示素子出力データテーブルと、前記ラウンド表示素子に表示させる態様が規定されたラウンド表示素子出力データを複数記憶するラウンド表示素子出力データテーブルと、が設けられ、前記マイクロプロセッサに内蔵されたＲＡＭは、少なくとも、前記機能表示基板にそれぞれ一定個数集約されて実装される表示素子のうち、前記普通図柄記憶表示素子に割り当てられた表示素子と前記ラウンド表示素子に割り当てられた表示素子とに駆動信号を出力する出力データを記憶する出力データ用レジスタが設けられ、前記出力データ用レジスタの大きさは、パチンコ遊技機の仕様が異なる機種間において固定値であり、かつ、前記機能表示基板にそれぞれ一定個数集約されて実装される表示素子のうち、前記普通図柄記憶表示素子に割り当てられた表示素子に対応するビット数と前記ラウンド表示素子に割り当てられた表示素子に対応するビット数との和であり、前記マイクロプロセッサは、少なくとも、前記遊技領域に設けられたゲートに遊技球が入球して前記普通図柄表示素子で普通図柄が変動表示されない遊技球の球数を表示するための態様が規定された前記普通図柄記憶表示素子出力データを前記普通図柄記憶表示素子出力データテーブルから抽出する普通図柄記憶表示素子出力データ抽出制御手段と、前記遊技領域に設けられた大入賞口に遊技球が入球することができない状態から入球しやすい状態となる最大回数を表示するための態様が規定された前記ラウンド表示素子出力データを前記ラウンド表示素子出力データテーブルから抽出するラウンド表示素子出力データ抽出制御手段と、前記普通図柄記憶表示素子出力データ抽出制御手段で抽出した前記普通図柄記憶表示素子出力データと前記ラウンド表示素子出力データ抽出制御手段で抽出した前記ラウンド表示素子出力データとの論理和を算出する論理和算出制御手段と、該論理和算出制御手段で算出した前記論理和を前記出力データとして前記出力データ用レジスタに記憶する出力データ記憶制御手段と、前記出力データ用レジスタに記憶された前記出力データに基づいて当該出力データ用レジスタに値１が記憶されたビットに対応する、前記普通図柄記憶表示素子に割り当てられた表示素子と前記ラウンド表示素子に割り当てられた表示素子とに駆動信号を出力する駆動信号出力制御手段と、を備えることを特徴とするパチンコ遊技機。
マイクロプロセッサに内蔵されたＲＯＭは、少なくとも、普通図柄記憶表示素子出力データテーブル、ラウンド表示素子出力データテーブルが設けられている。普通図柄記憶表示素子出力データテーブルは、普通図柄記憶表示素子に表示させる態様が規定された普通図柄記憶表示素子出力データを複数記憶している。ラウンド表示素子出力データテーブルは、ラウンド表示素子に表示させる態様が規定されたラウンド表示素子出力データを複数記憶している。普通図柄記憶表示素子出力データテーブル及びラウンド表示素子出力データテーブルは、パチンコ遊技機の仕様に対応するものが予め記憶されている。
マイクロプロセッサに内蔵されたＲＡＭは、少なくとも、出力データ用レジスタが設けられている。この出力データ用レジスタは、機能表示基板にそれぞれ一定個数集約されて実装される表示素子のうち、普通図柄記憶表示素子に割り当てられた表示素子と、ラウンド表示素子に割り当てられた表示素子と、に駆動信号を出力する出力データを記憶している。出力データ用レジスタの大きさは、パチンコ遊技機の仕様が異なる機種間において固定値であり、かつ、機能表示基板にそれぞれ一定個数集約されて実装される表示素子のうち、普通図柄記憶表示素子に割り当てられた表示素子に対応するビット数と、ラウンド表示素子に割り当てられた表示素子に対応するビット数と、の和である。ここで、例えば固定値として値６である場合、パチンコ遊技機の仕様がラウンド表示素子に割り当てられた表示素子の数が２個であるときには普通図柄記憶表示素子に割り当てられた表示素子の数が４個（＝固定値（６）−ラウンド表示素子に割り当たられた表示素子の数（２））となり、パチンコ遊技機の仕様がラウンド表示素子に割り当てられた表示素子の数が３個であるときには普通図柄記憶表示素子に割り当てられた表示素子の数が３個（＝固定値（６）−ラウンド表示素子に割り当たられた表示素子の数（３））となり、パチンコ遊技機の仕様がラウンド表示素子に割り当てられた表示素子の数が４個であるときには普通図柄記憶表示素子に割り当てられた表示素子の数が２個（＝固定値（６）−ラウンド表示素子に割り当たられた表示素子の数（４））となる。このようなパチンコ遊技機の仕様が異なった場合には、それぞれ表示機能の異なる、ラウンド表示素子に割り当てられた表示素子の数と、普通図柄記憶表示素子に割り当てられた表示素子の数と、を調整することによって対応することができる。このように、普通図柄記憶表示素子に割り当てられた表示素子の数と、ラウンド表示素子に割り当てられた表示素子の数と、の和が、パチンコ遊技機の仕様が異なる機種間において固定値となっており、機能表示基板は、パチンコ遊技機が異なる機種間において共通のハードウェアとなっている。
マイクロプロセッサは、少なくとも、普通図柄記憶表示素子出力データ抽出制御手段、ラウンド表示素子出力データ抽出制御手段、論理和算出制御手段、出力データ記憶制御手段、駆動信号出力制御手段を備えている。普通図柄記憶表示素子出力データ抽出制御手段は、遊技領域に設けられたゲートに遊技球が入球して普通図柄表示素子で普通図柄が変動表示されない遊技球の球数を表示するための態様が規定された普通図柄記憶表示素子出力データを普通図柄記憶表示素子出力データテーブルから抽出する。ラウンド表示素子出力データ抽出制御手段は、遊技領域に設けられた大入賞口に遊技球が入球することができない状態から入球しやすい状態となる最大回数を表示するための態様が規定されたラウンド表示素子出力データをラウンド表示素子出力データテーブルから抽出する。論理和算出制御手段は、普通図柄記憶表示素子出力データ抽出制御手段で抽出した普通図柄記憶表示素子出力データと、ラウンド表示素子出力データ抽出制御手段で抽出したラウンド表示素子出力データと、の論理和を算出する。出力データ記憶制御手段は、論理和算出制御手段で算出した論理和を出力データとして出力データ用レジスタに記憶制御する。駆動信号出力制御手段は、出力データ用レジスタに記憶された出力データに基づいて、その出力データ用レジスタに値１が記憶されたビットに対応する、普通図柄記憶表示素子に割り当てられた表示素子と、ラウンド表示素子に割り当てられた表示素子と、に駆動信号を出力する。
このように、普通図柄記憶表示素子に割り当てられた表示素子の数と、ラウンド表示素子に割り当てられた表示素子の数と、の和が、パチンコ遊技機の仕様が異なる機種間において固定値であるため、機能表示基板がパチンコ遊技機の仕様が異なる機種間において共通のハードウェアとなる。またパチンコ遊技機の仕様と対応する、普通図柄記憶表示素子出力データテーブルの普通図柄記憶表示素子出力データと、ラウンド表示素子出力データテーブルのラウンド表示素子出力データと、がマイクロプロセッサに内蔵されたＲＯＭに記憶されることによってパチンコ遊技機の仕様に関わる部分をプログラムと切り離すことができるため、パチンコ遊技機の仕様が異なる機種間において共通のプログラムとなる。したがって、ハードウェア及びプログラムの共通化により開発期間の短縮化を図ることができる。
本実施形態では、例えば、図１２５（ａ）、図１２６（ｂ）及び図１２７（ｂ）の普通図柄記憶ランプ出力データが普通図柄記憶表示素子出力データに相当し、図１２５（ａ）、図１２６（ｂ）及び図１２７（ｂ）の普通図柄記憶ランプ出力データテーブルが普通図柄記憶表示素子出力データテーブルに相当し、図１２５（ｂ）、図１２６（ｃ）及び図１２７（ｃ）のラウンド表示ランプ出力データがラウンド表示素子出力データに相当し、図１２５（ｂ）、図１２６（ｃ）及び図１２７（ｃ）のラウンド表示ランプ出力データテーブルがラウンド表示素子出力データテーブルに相当し、図１２４の出力データ作成レジスタが出力データ用レジスタに相当し、「普通図柄記憶ランプ１５３０ａ〜１５３０ｄに割り当てられるＬＥＤ６〜ＬＥＤ９の数と、２ラウンド表示ランプ１５５０及び１５ラウンド表示ランプ１５６０に割り当てられるＬＥＤ１１，ＬＥＤ１２の数と、の和が固定値６」が固定値に相当し、図１４２の主制御側タイマ割り込み処理におけるステップＳ８８の処理が普通図柄記憶表示素子出力データ抽出制御手段、ラウンド表示素子出力データ抽出制御手段、論理和算出制御手段、出力データ記憶制御手段に相当し、図１４２の主制御側タイマ割り込み処理におけるステップＳ９０の処理が駆動信号出力制御手段に相当する。
【手続補正１３】
【補正対象書類名】明細書
【補正対象項目名】０６８７
【補正方法】変更
【補正の内容】
【０６８７】
１…パチンコ遊技機（パチンコ遊技機）、２…外枠、３…本体枠（本体枠）、３ａ…扉枠開放スイッチ、３ｂ…本体枠開放スイッチ、４…遊技盤（遊技盤）、５…扉枠（扉枠）、５ａａ，５ｂ〜５ｈ…扉枠装飾ランプ、３０…貯留皿、３０ａ…球排出ボタン、４２…遊技窓、５０…ガラスユニット、６０…ガラス板、７０…ハンドル装置、７１ａ…ハンドル中継端子板、７４…回動操作部材、８０…タッチスイッチ、８０ａ…接触検出基板、２５０…ベニヤ板、２５１…飾り枠、２５１ａ…外滑走面用飾り枠、２５１ｂ…内滑走面用飾り枠、２５１ｃ…機能表示飾り枠（飾り枠）、２５１ｃｃ…機能表示シール貼付部、２５１ｃｆ…ガイド筒、２５５…遊技領域、２６８ａ…ＲＡＭクリアスイッチ、２７０…ドロワコネクタ、２７０ａ…ターミナル、３００…打球発射装置、４００…賞球タンク、４１０…タンクレール部材、４２０…球通路ユニット、４５０…賞球ユニット、４５７…スプロケット、４２６…球切れスイッチ、４６２…計数スイッチ、４６５…払出モータ、４８０…賞球ユニット内中継端子板、４９３…第１ギヤ、４９４…第２ギヤ、４９７…第３ギヤ、５００…検出円盤、５０１…検出切欠、５０２…ギヤ部、５０４…センサ基板、５０５…回転角スイッチ、６５１…枠用基板ホルダー、６５３…電源基板ボックス、６５５…払出制御基板ボックス、６５６…シールド放熱板、６５６ａ…凹凸面、６５７…主ドロワ中継基板、６５８…副ドロワ中継基板、６８６…電源基板、７００ａ…外部端子板、７００ｂ…ＣＲユニット端子板、７１５…払出制御基板、７２４ａ，７２４ｂ…箔抜き領域、７３０…ドロワコネクタ、７３０ａ…コンタクト、１２００…センターユニット、１２１０…入賞口ユニット、１２２０…装飾ユニット、１２２５…機能表示ユニット、１２２５ａ…機能表示基板（機能表示基板）、１４８０…上特別図柄表示器（特別図柄表示素子）、１４９０…下特別図柄表示器（特別図柄表示素子）、１５００ａ，１５００ｂ…上特別図柄記憶ランプ（特別図柄記憶表示素子）、１５１０ａ，１５１０ｂ…下特別図柄記憶ランプ（特別図柄記憶表示素子）、１５２０…普通図柄表示器（普通図柄表示素子）、１５３０ａ〜１５３０ｄ…普通図柄記憶ランプ（普通図柄記憶表示素子）、１５４０…遊技状態表示ランプ（遊技状態表示素子）、１５５０…２ラウンド表示ランプ（ラウンド表示素子）、１５６０…１５ラウンド表示ランプ（ラウンド表示素子）、１５９５Ａ…機能表示シール（機能表示部材）、１７００…主制御基板（主制御基板）、１７００ａ…主制御ＭＰＵ（マイクロプロセッサ）、１７００ｆ…活線故障防止回路、１７１０…払出制御部、１７１０ａ…払出制御ＭＰＵ、１７２０…発射制御部、１７３０…エラーＬＥＤ表示器、１７３１…エラー解除スイッチ、１７３２…球抜きスイッチ、１７４０…サブ統合基板、１７４０ａ…サブ統合ＭＰＵ、１７５０…液晶制御基板、１７５０ａ…液晶制御ＭＰＵ、１７５０ｃ…ＶＤＰ、１７５５…インバータ基板、１７６０…ランプ駆動基板、Ｃ１，Ｃ１０１，Ｃ１０３，Ｃ５０…電解コンデンサ、ＦＢＤ１…フライバック電圧吸収用ダイオード、ＦＢＤ２…フライバック電圧吸収用ダイオード、ＦＢＤ３…フライバック電圧吸収用ダイオード、ＦＢＤ４…フライバック電圧吸収用ダイオード、Ｇｒｐ１，Ｇｒｐ２，Ｇｒｐ３…グループ、ＩＣ５０…ドライブＩＣ、ＰＴｒ１…ダーリントンパワートランジスタ、ＰＴｒ２…ダーリントンパワートランジスタ、ＰＴｒ３…ダーリントンパワートランジスタ、ＰＴｒ４…ダーリントンパワートランジスタ、Ｒ７２４ａ，Ｒ７２４ｃ…抵抗、Ｒ７２４ｂ，Ｒ７２４ｄ…抵抗、ＳＥＧ１，ＳＥＧ２…セグメント表示器。